(57)【要約】【課題】  番組コンテンツを要約する際に番組コンテンツを提供するコンテンツ提供者にも有益となるコンテンツ要約装置を提供する。【解決手段】  番組コンテンツを受信する受信手段１１０と、受信手段１１０によって受信された番組コンテンツを再生する再生手段１２０と、再生手段１２０によって再生された番組コンテンツを要約する要約手段１３０と、利用者が再生手段１２０によって再生された番組コンテンツを視聴または聴取していたか否かを判断する視聴判断手段１４０とを有し、視聴判断手段１４０は、利用者が番組コンテンツを視聴または聴取しでいたと判断したとき、要約手段１３０は、再生手段１２０によって再生された番組コンテンツを要約する。【選択図】    図１
2005332434.tif 000002
【特許請求の範囲】
【請求項１】
番組コンテンツを受信する受信手段と、
前記受信手段によって受信された番組コンテンツを再生する再生手段と、
前記再生手段によって再生された番組コンテンツを要約する要約手段と、
利用者が前記再生手段によって再生された番組コンテンツを視聴または聴取していたか否かを判断する視聴判断手段とを有し、
前記視聴判断手段が、前記利用者が前記番組コンテンツを視聴または聴取していたと判断したとき、前記要約手段は、前記再生手段によって再生された番組コンテンツを要約することを特徴とするコンテンツ要約装置。
【請求項２】
前記視聴判断手段は、前記番組コンテンツの再生時間内に前記番組コンテンツが早送りされていないことを検知して前記番組コンテンツを視聴または聴取していたか否かを判断することを特徴とする請求項１に記載のコンテンツ要約装置。
【請求項３】
番組コンテンツを要約するコンテンツ要約方法であって、
番組コンテンツを受信する第１のステップと、
前記第１のステップで受信した番組コンテンツを再生する第２のステップと、
前記第２のステップで再生した番組コンテンツを利用者が視聴または聴取していたか否かを判断する第３のステップと、
前記第３のステップで、利用者が前記第２のステップで再生した番組コンテンツを視聴または聴取していたと判断したとき、前記第２のステップで再生した番組コンテンツを要約する第４のステップと、
を有することを特徴とするコンテンツ要約方法。
【請求項４】
前記第３のステップは、前記番組コンテンツが早送りされていないことを検知して前記番組コンテンツを視聴または聴取していたか否かを判断することを特徴とする請求項３に記載のコンテンツ要約方法。
【請求項５】
番組コンテンツを要約する機能を実現するためのコンテンツ要約プログラムであって、
番組コンテンツを受信する第１のステップと、
前記第１のステップで受信した番組コンテンツを再生する第２のステップと、
前記第２のステップで再生した番組コンテンツを利用者が視聴または聴取していたか否かを判断する第３のステップと、
前記第３のステップで、利用者が前記第２のステップで再生した番組コンテンツを視聴または聴取していたと判断したとき、前記第２のステップで再生した番組コンテンツを要約する第４のステップと、
をコンピュータに実行させることを特徴とするコンテンツ要約プログラム。
【請求項６】
前記第３のステップは、前記番組コンテンツが早送りされていないことを検知して前記番組コンテンツを視聴または聴取していたか否かを判断することを特徴とする請求項５に記載のコンテンツ要約プログラム。
【発明の詳細な説明】
【技術分野】
【０００１】
本発明は、コンテンツプロバイダや記録媒体から入力された番組コンテンツなどを要約するコンテンツ要約装置、コンテンツ要約方法及びコンテンツ要約プログラムに関する。
【背景技術】
【０００２】
従来のコンテンツ要約装置としては、例えば、コンテンツプロバイダから配信された番組コンテンツ、またはＤＶＤなどに録画された番組コンテンツを構成する複数のフレームからなる区間動画像を動画全体の各ブロックから抽出し、抽出した各ブロックの区間動画像をつなぎ合わせてダイジェスト画像とするものが知られている。
【０００３】
また、従来のコンテンツ要約装置としては、コンテンツを構成する音声信号から音声特徴量および音声小段落に関する情報を抽出し、抽出した情報に基づいて話者の発話状態が平静状態か、または強調状態かを判定し、この判定に基づいて、コンテンツの音声データまたは映像データを読み出して要約音声データ及び要約映像データを生成するものが知られている（特許文献１参照）。
【特許文献１】特開２００３−３１６３７８号公報
【発明の開示】
【発明が解決しようとする課題】
【０００４】
しかしながら、コンテンツプロバイダなどから配信された番組コンテンツを要約すると、従来のコンテンツ要約装置では、番組に含まれている広告や宣伝に関する映像や音声が失われてしまう可能性がある。したがって、従来のコンテンツ要約装置は、番組コンテンツを提供するスポンサーなどにとって、不利なものになってしまうという問題が有った。
【０００５】
本発明は、このような事情に鑑みてなされたものであり、番組コンテンツを要約する際に番組コンテンツを提供するコンテンツ提供者にも有益となるコンテンツ要約装置、コンテンツ要約方法及びコンテンツ要約プログラムを提供することを目的とする。
【課題を解決するための手段】
【０００６】
上記目的を達成するために請求項１に記載の発明は、番組コンテンツを受信する受信手段と、前記受信手段によって受信された番組コンテンツを再生する再生手段と、前記再生手段によって再生された番組コンテンツを要約する要約手段と、  利用者が前記再生手段によって再生された番組コンテンツを視聴または聴取していたか否かを判断する視聴判断手段とを有し、前記視聴判断手段が、前記利用者が前記番組コンテンツを視聴または聴取していたと判断したとき、前記要約手段は、前記再生手段によって再生された番組コンテンツを要約することを特徴とする。
このように構成することにより、利用者が番組に含まれる広告や宣伝も含めた番組コンテンツを視聴または聴取していたと判断したとき、再生された番組コンテンツを要約するため、番組コンテンツを要約する際に番組コンテンツを提供する提供者にも有益なものにすることができる。
【０００７】
また、請求項２に記載の発明は、請求項１に記載のコンテンツ要約装置において、前記視聴判断手段は、前記番組コンテンツの再生時間内に前記番組コンテンツが早送りされていないことを検知して前記番組コンテンツを視聴または聴取していたか否かを判断することを特徴とする。
このように構成することにより、コンテンツが早送りされていないことを検知するため、利用者が番組コンテンツを視聴または聴取していたか否かを確実に判断でき、番組コンテンツを要約する際に番組コンテンツを提供する提供者にも有益なものにすることができる。
【０００８】
また、請求項３に記載の発明は、番組コンテンツを要約するコンテンツ要約方法であって、番組コンテンツを受信する第１のステップと、前記第１のステップで受信した番組コンテンツを再生する第２のステップと、前記第２のステップで再生した番組コンテンツを利用者が視聴または聴取していたか否かを判断する第３のステップと、前記第３のステップで、利用者が前記第２のステップで再生した番組コンテンツを視聴または聴取していたと判断したとき、前記第２のステップで再生した番組コンテンツを要約する第４のステップとを有することを特徴とする。
【０００９】
また、請求項４に記載の発明は、請求項３に記載のコンテンツ要約方法において、前記第３のステップは、前記番組コンテンツが早送りされていないことを検知して前記番組コンテンツを視聴または聴取していたか否かを判断することを特徴とする。
【００１０】
また、請求項５に記載の発明は、番組コンテンツを要約する機能を実現するためのコンテンツ要約プログラムであって、番組コンテンツを受信する第１のステップと、前記第１のステップで受信した番組コンテンツを再生する第２のステップと、前記第２のステップで再生した番組コンテンツを利用者が視聴または聴取していたか否かを判断する第３のステップと、前記第３のステップで、利用者が前記第２のステップで再生した番組コンテンツを視聴または聴取していたと判断したとき、前記第２のステップで再生した番組コンテンツを要約する第４のステップとをコンピュータに実行させることを特徴とする。
このプログラムにより、コンテンツが早送りされていないことを検知するため、利用者が番組コンテンツを視聴または聴取していたか否かを確実に判断でき、番組コンテンツを要約する際に番組コンテンツを提供する提供者にも有益なものにすることができる。
【００１１】
また、請求項６に記載の発明は、請求項５に記載のコンテンツ要約プログラムにおいて、前記第３のステップは、前記番組コンテンツが早送りされていないことを検知して前記番組コンテンツを視聴または聴取していたか否かを判断することを特徴とする。
このプログラムにより、コンテンツが早送りされていないことを検知するため、利用者が番組コンテンツを視聴または聴取していたか否かを確実に判断でき、番組コンテンツを要約する際に番組コンテンツを提供する提供者にも有益なものにすることができる。
【発明の効果】
【００１２】
以上説明したように、本発明によれば、利用者が番組に含まれる広告や宣伝も含めた番組コンテンツを視聴または聴取していたと判断したとき、再生された番組コンテンツを要約するようにしたので、番組コンテンツを要約する際に、番組コンテンツを提供するコンテンツ提供者にとっても有益なものとすることができる、という効果が得られる。
【発明を実施するための最良の形態】
【００１３】
以下、本発明の実施形態を、図面を参照して詳細に説明する。図１に本発明が適用される配信システムの構成を示す。同図において、配信システムは、コンテンツプロバイダ１０と、ネットワーク２０と、コンテンツ要約装置１００とを有している。
【００１４】
コンテンツプロバイダ１０は、番組コンテンツや種々のコンテンツを利用者に提供するようになっている。コンテンツプロバイダ１０内にあるサーバは、ネットワーク２０を介してコンテンツ要約装置１００と接続されており、番組コンテンツなどをコンテンツ要約装置１００に配信するようになっている。
【００１５】
番組コンテンツは、ＭＰＥＧ（Moving Picture Experts Group）やＭＰ３（MPEG-1 Audio Layer3）などの符号化されたデータによって構成される情報である。
また、番組コンテンツは、ニュース、映画、スポーツ、またはエンターテイメントなど含む番組によって構成され、また、企業などの広告や宣伝に関する映像音声なども含まれる。なお、ネットワーク２０は、インターネットなどを用いてもよい。
【００１６】
本実施形態に係るコンテンツ要約装置１００は、番組コンテンツを要約するコンテンツ要約方法であって、番組コンテンツを受信する第１のステップと、前記第１のステップで受信した番組コンテンツを再生する第２のステップと、前記第２のステップで再生した番組コンテンツを利用者が視聴または聴取していたか否かを判断する第３のステップと、前記第３のステップで、利用者が前記第２のステップで再生した番組コンテンツを視聴または聴取していたと判断したとき、前記第２のステップで再生した番組コンテンツを要約する第４のステップとを有することを特徴とするコンテンツ要約方法を実施する装置である。
【００１７】
コンテンツ要約装置１００は、家庭内またはオフィス内などに設置され、コンテンツプロバイダ１０内にあるサーバとネットワーク２０を介して接続されており、コンテンツプロバイダ１０から提供された番組コンテンツを受信し、受信した番組コンテンツを要約するようになっている。なお、コンテンツ要約装置１００は、パソコンを含むコンピュータを用いても実現可能である。
【００１８】
次に、図２に本発明の実施形態に係るコンテンツ要約装置のハードウェア構成を示す。 図２において、ＣＰＵ（Central Processing Unit）1０１は、コンテンツ要約装置に関わるプログラムを実行するようになっている。
ＲＯＭ（Read Only Memory）１０２は、ＣＰＵ１０１が読み出すプログラム、ＣＰＵ１０１を立ち上げるためのプログラム、その他のプログラム、および、制御用のパラメータ等を記憶するようになっている。
【００１９】
ＲＡＭ（Random Access Memory）１０３は、ＣＰＵ１０１の動作中にＣＰＵ１０１の動作に要するプログラムやデータ等を記憶するようになっている。
ＥＥＰＲＯＭ（Electrically Erasable Programmable Read Only Memory）１０４は、プログラムや所定のデータを不揮発かつ書替可能に記憶するようになっている。
【００２０】
ハードディスク１０５は、コンテンツを構成するデータなどを記憶するようになっている。
インタフェース部１０６は、ネットワーク２０に接続されている装置と所定の通信プロトコルに準拠して通信するようになっている。
【００２１】
その他、コンテンツ要約装置１００は、液晶ディスプレイなどのディスプレイ１０７やキーボードやマウスなどの入力機器を備え、コンテンツ要約装置１００の装置規模を大きくできる場合には、フレキシブルディスクドライブやＣＤ（Compact Disc）、ＤＶＤ（Digital Versatile Disc）等のドライブをさらに備えるようにしてもよい。ＣＰＵ１０１、ＲＯＭ１０２、ＲＡＭ１０３、ＥＥＰＲＯＭ１０４、ハードディスク１０５、インタフェース部１０６及びディスプレイ１０７はバス１０８を介して相互に接続されている。
【００２２】
コンテンツ要約装置１００は、受信手段１１０、再生手段１２０、要約手段１３０、および視聴判断手段１４０から構成されている。これらの手段は、ＣＰＵ１０１によって実行されるプログラムのモジュールでもよい。
【００２３】
受信手段１１０は、コンテンツプロバイダ１０などから提供された番組コンテンツを、インタフェース部１０６を介して受信するようになっている。
また、受信手段１１０は、ＣＤまたはＤＶＤ等のドライブから番組コンテンツを受信するようにしてもよい。
【００２４】
再生手段１２０は、ＭＰＥＧやＭＰ３などの符号化されたデータまたはアナログの映像音声信号を再生し、受信手段１１０によって受信された番組コンテンツを再生するようになっている。
なお、再生手段１２０は、倍速再生、早送り、巻き戻しなども可能である。
また、再生手段１２０は、再生した番組コンテンツをディスプレイ１０７に表示させるようにしてもよい。
【００２５】
要約手段１３０は、再生手段１２０によって再生された番組コンテンツを要約するようになっている。映像と音声からなる番組コンテンツを要約する場合、要約手段１３０は、例えば、特開２００３−３１６３７８号公報に記載されているように、番組コンテンツを構成する音声信号から音声特徴量および音声小段落に関する情報を抽出し、抽出した情報に基づいて話者の発話状態が平静状態か、または強調状態かを判定し、強調状態にある音声段落と対応する映像シーンを抽出、すなわち、番組コンテンツから強調状態にある映像データおよび音声データのみを抽出して要約コンテンツを生成するようにしてもよい。
【００２６】
また、ラジオ番組等の音声からなる番組コンテンツを要約する場合、要約手段１３０は、同様に、話者の発話状態が平静状態か、または強調状態かを判定し、強調状態にある音声段落と対応する音声データのみを抽出して要約コンテンツを生成するようにしてもよい。
なお、要約手段１３０は、要約した番組コンテンツをハードディスク１０５に蓄積するようにしてもよい。
【００２７】
視聴判断手段１４０は、利用者が再生手段１２０によって再生された番組コンテンツを視聴または聴取していたか否かを判断するようになっている。例えば、視聴判断手段１４０は、番組コンテンツの再生時間内に番組コンテンツが早送りされていないことを検知することにより、番組コンテンツを視聴または聴取していたか否かを判断し、番組が全て終了した後、視聴または聴取していたと判断したとき、要約の作成を要求するための要約要求信号を要約手段１３０に出力するようになっている。
【００２８】
また、要約手段１３０は、要約要求信号が入力されたときには、再生手段１２０によって再生された番組コンテンツを要約するようになっている。
なお、要約手段１３０は、再生されている番組コンテンツを逐次、要約するようにしてもよいし、番組が全て終了するまで番組コンテンツをハードディスク１０５に蓄積し、番組コンテンツの蓄積が終了し、要約要求信号が入力されたときに番組コンテンツを要約するようにしてもよい。
【００２９】
番組コンテンツを逐次要約する場合、要約手段１３０は、番組コンテンツの再生中に番組コンテンツを逐次要約しておき、番組が全て終了して要約要求信号を入力したとき、要約した番組コンテンツを利用可能な状態にするようになっている。
【００３０】
以下、本発明の実施形態に係るコンテンツ要約装置が実行するプログラムについて、図面を参照して説明する。図３に本発明の実施形態に係るコンテンツ要約装置の動作の流れを示すフローチャートを示す。
【００３１】
図３において、まず、コンテンツプロバイダ１０などから提供された番組コンテンツが、ネットワーク２０を介して受信手段１１０によって受信され（Ｓ１０１）、受信された番組コンテンツは、再生手段１２０によって再生される（Ｓ１０２）。
【００３２】
次に、利用者が、再生手段１２０によって再生された番組コンテンツを視聴または聴取していたか否か、視聴判断手段１４０によって判断され（Ｓ１０３）、利用者が番組コンテンツを視聴または聴取していたと判断されたとき、要約要求信号は、視聴判断手段１４０によって要約手段１３０に出力される。
要約要求信号が要約手段１３０に出力されたとき、番組コンテンツは、要約手段１３０によって要約される（Ｓ１０４）。
【００３３】
以上説明したように、本発明の実施形態に係るコンテンツ要約装置、コンテンツ要約方法及びコンテンツ要約プログラムは、利用者が番組に含まれる広告や宣伝も含めた番組コンテンツを視聴または聴取していたと判断したとき、再生された番組コンテンツを要約するため、番組コンテンツを要約する際に番組コンテンツを提供する提供者にも有益なものにすることができる。
また、コンテンツが早送りされていないことを検知するため、利用者が番組コンテンツを視聴または聴取していたか否かを確実に判断でき、番組コンテンツを要約する際に番組コンテンツを提供する提供者にも有益なものにすることができる。
【産業上の利用可能性】
【００３４】
本発明に係るコンテンツ要約装置、コンテンツ要約方法及びコンテンツ要約プログラムは、番組コンテンツを要約する際に番組コンテンツを提供する提供者にも有益なものにすることができるという効果を有し、パソコンやＡＶ家電など端末の用途にも利用可能である。
【図面の簡単な説明】
【００３５】
【図１】本発明が適用される配信システムの構成を示すブロック図。
【図２】本発明の実施形態に係るコンテンツ要約装置のハードウェア構成を示す概略図。
【図３】本発明の実施形態に係るコンテンツ要約装置の動作の流れを示すフローチャート。
【符号の説明】
【００３６】
１０…コンテンツプロバイダ
２０…ネットワーク
１００…コンテンツ要約装置
１０１…ＣＰＵ
１０２…ＲＯＭ
１０３…ＲＡＭ
１０４…ＥＥＰＲＯＭ
１０５…ハードディスク
１０６…インタフェース部
１０７…ディスプレイ
１１０…受信手段
１２０…再生手段
１３０…要約手段
１４０…視聴判断手段
【図１】
2005332434.tif 000003
【図２】
2005332434.tif 000004
【図３】
2005332434.tif 000005